【手続補正書】
【提出日】平成17年4月7日(2005.4.7)
【手続補正１】
【補正対象書類名】明細書
【補正対象項目名】特許請求の範囲
【補正方法】変更
【補正の内容】
【特許請求の範囲】
【請求項１】
複数のディスク制御ユニットを有するディスク制御装置を複数備えたディスク制御システムにおいて、
前記ディスク制御ユニットは、
ホストコンピュータとのインターフェースを有する一または複数のチャネル制御部と、
ディスク装置とのインターフェースを有する一または複数のディスク制御部と、
前記ディスク装置にリード／ライトされるデータを一時的に格納するキャッシュメモリ部と前記チャネル制御部と前記ディスク制御部とを相互に接続する内部結合部と、
を備えており、
前記各ディスク制御装置の内部において、データをリード／ライトすべく、前記各ディスク制御ユニットの前記内部結合部を相互に結合する第一の結合部と、
複数の前記ディスク制御装置に跨り、データを転送すべく、前記各ディスク制御ユニットの前記内部結合部を相互に結合する第二の結合部と、
を備えたことを特徴とするディスク制御システム。
【請求項２】
前記ディスク制御装置は二つの前記ディスク制御ユニットを有しており、前記第一の結合部は、該二つのディスク制御ユニットの前記内部結合部を相互に結合することを特徴とする請求項１に記載のディスク制御システム。
【請求項３】
前記第一の結合部又は前記第二の結合部は、メモリパス用スイッチで構成されることを特徴とする請求項１に記載のディスク制御システム。
【請求項４】
前記第一の結合部は、データ伝送用のケーブルで構成されることを特徴とする請求項１に記載のディスク制御システム。
【請求項５】
前記各ディスク制御装置の内部において、共通の電源から給電される前記各ディスク制御ユニットを前記第一の結合部は結合することを特徴とする請求項１に記載のディスク制御システム。
【請求項６】
複数の前記ディスク制御装置に跨り、データを転送すべく、前記各ディスク制御ユニットの前記第一の結合部を相互に接続することを特徴とする請求項１に記載のディスク制御システム。
【請求項７】
請求項１に記載のディスク制御システムと、前記ディスク制御システムの前記チャネル制御部に対して接続される、データの授受用のホストコンピュータとを備えることを特徴とするディスクシステム。
【請求項８】
請求項１に記載のディスク制御システムと、前記ディスク制御システムの前記ディスク制御部に対して接続される、データ格納用のディスク装置とを備えることを特徴とするディスクシステム。
【請求項９】
複数のディスク制御ユニットを有するディスク制御装置において、
前記ディスク制御ユニットは、
ホストコンピュータとのインターフェースを有する一または複数のチャネル制御部と、
ディスク装置とのインターフェースを有する一または複数のディスク制御部と、
前記ディスク装置にリード／ライトされるデータを一時的に格納するキャッシュメモリ部と前記チャネル制御部と前記ディスク制御部とを相互に接続する内部結合部と、
を備えており、
前記各ディスク制御装置の内部において、データをリード／ライトすべく、前記各ディスク制御ユニットの前記内部結合部を相互に結合する第一の結合部を備えて、
前記各ディスク制御ユニットの前記内部結合部は、複数の前記ディスク制御装置に跨り、データを転送すべく、第二の結合部によって、相互に結合されることを特徴とするディスク制御装置。
【請求項１０】
前記ディスク制御装置は二つの前記ディスク制御ユニットを有しており、前記第一の結合部は、該二つのディスク制御ユニットの前記内部結合部を相互に結合することを特徴とする請求項９に記載のディスク制御装置。
【請求項１１】
前記第一の結合部又は前記第二の結合部は、メモリパス用スイッチで構成されることを特徴とする請求項９に記載のディスク制御装置。
【請求項１２】
前記第一の結合部は、データ伝送用のケーブルで構成されることを特徴とする請求項９に記載のディスク制御装置。
【請求項１３】
共通の電源から給電される前記各ディスク制御ユニットを前記第一の結合部は結合することを特徴とする請求項９に記載のディスク制御装置。
【請求項１４】
複数の前記ディスク制御装置に跨り、データを転送すべく、前記各ディスク制御ユニットの前記第一の結合部が相互に接続されることを特徴とする請求項９に記載のディスク制御装置。
【請求項１５】
ホストコンピュータとのインターフェースを有する一または複数のチャネル制御部と、ディスク装置とのインターフェースを有する一または複数のディスク制御部と、前記ディスク装置にリード／ライトされるデータを一時的に格納するキャッシュメモリ部と前記チャネル制御部と前記ディスク制御部とを相互に接続する内部結合部とを備えたディスク制御ユニットを複数有するディスク制御装置におけるデータ通信の制御方法であって、
前記各ディスク制御装置の内部において、前記各ディスク制御ユニットの前記内部結合部を相互に結合する第一の結合部により、データをリード／ライトするとともに、
複数の前記ディスク制御装置に跨り、前記各ディスク制御ユニットの前記内部結合部を相互に結合する第二の結合部によって、データを転送することを特徴とするディスク制御装置におけるデータ通信の制御方法。
【請求項１６】
前記ディスク制御装置は二つの前記ディスク制御ユニットを有しており、前記第一の結合部は、該二つのディスク制御ユニットの前記内部結合部を相互に結合することを特徴とする請求項１５に記載のディスク制御装置におけるデータ通信の制御方法。
【請求項１７】
複数のディスク制御ユニット及び少なくとも一つの第一の結合部を含む複数のディスク制御装置と、前記ディスク制御装置間に設けられる少なくとも一つの第二の結合部と、を備えるディスク制御システムであって、
前記各ディスク制御ユニットは、ホストコンピュータとのインターフェースを有する少なくとも一つのチャネル制御部と、ディスク装置とのインターフェースを有する少なくとも一つのディスク制御部と、前記チャネル制御部と前記ディスク制御部と前記ディスク装置にリード／ライトされるデータを一時的に格納するキャッシュメモリとを相互に接続する内部結合部と、を含み、
前記各ディスク制御装置の前記第一の結合部は、前記各ディスク制御装置の内部においてデータをリード／ライトすべく、前記各ディスク制御装置を構成する各ディスク制御ユニットの前記内部結合部を相互に接続し、
前記第二の結合部は、前記各ディスク制御装置を跨りデータを転送すべく、前記すべてのディスク制御装置における前記ディスク制御ユニットの前記内部結合部を相互に接続する
ことを特徴とするディスク制御システム。
【請求項１８】
ディスク制御システムと、データを授受するために前記ディスク制御システムと接続される少なくとも一つのホストコンピュータと、を備えるディスクシステムであって、
前記ディスク制御システムは、複数のディスク制御ユニット及び少なくとも一つの第一の結合部を含む複数のディスク制御装置と、前記各ディスク制御装置を跨りデータ転送を行う少なくとも一つの第二の結合部と、を備え、
前記各ディスク制御ユニットは、ホストコンピュータと通信可能なインターフェースを有する少なくとも一つのチャネル制御部と、ディスク装置と通信可能なインターフェースを有する少なくとも一つのディスク制御部と、前記チャネル制御部と前記ディスク制御部と前記ディスク装置にリード／ライトされるデータを一時的に格納するキャッシュメモリとを相互に接続する内部結合部と、を含み、
前記各ディスク制御装置の前記第一の結合部は、前記各ディスク制御装置の内部においてデータをリード／ライトすべく、前記各ディスク制御装置のディスク制御ユニットの前記内部結合部の間でデータの転送を行い、
前記第二の結合部は、前記各ディスク制御装置に跨りデータを転送すべく、前記各ディスク制御装置に設けられる全ての前記ディスク制御ユニットの前記内部結合部の間でデータの転送を行い、
前記少なくとも一つのホストコンピュータは、前記いずれかのディスク制御ユニットのチャネル制御部を介して前記ディスク制御システムに接続される
ことを特徴とするディスクシステム。
【請求項１９】
ディスク制御システムと、データを格納するために前記ディスク制御システムと接続される少なくとも一つのディスク装置と、を備えるディスクシステムであって、
前記ディスク制御システムは、複数のディスク制御ユニット及び少なくとも一つの第一の結合部を含む複数のディスク制御装置と、前記ディスク制御装置間に設けられる少なくとも一つの第二の結合部と、を備え、
前記各ディスク制御ユニットは、ホストコンピュータとのインターフェースを有する少なくとも一つのチャネル制御部と、前記ディスク装置とのインターフェースを有する少なくとも一つのディスク制御部と、前記チャネル制御部と前記ディスク制御部と前記ディスク装置にリード／ライトされるデータを一時的に格納するキャッシュメモリとの間でデータ接続を行う内部結合部と、を含み、
前記第一の結合部は、同一のディスク制御装置内に設けられる前記各ディスク制御ユニットの前記内部結合部を相互に接続して、そのディスク制御装置の内部においてデータをリード／ライトし、
前記第二の結合部は、前記各ディスク制御装置にそれぞれ設けられる前記ディスク制御ユニットの前記内部結合部を相互に接続して、前記ディスク制御装置に跨りデータを転送し、
前記少なくとも一つのディスク装置は、前記いずれかのディスク制御ユニットのディスク制御部を介して前記ディスク制御システムに接続される
ことを特徴とするディスクシステム。
【請求項２０】
複数のディスク制御ユニットと、少なくとも一つの第一の結合部と、を備えるディスク制御装置であって、
前記各ディスク制御ユニットは、ホストコンピュータとのインターフェースを有する少なくとも一つのチャネル制御部と、ディスク装置とのインターフェースを有する少なくとも一つのディスク制御部と、前記チャネル制御部と前記ディスク制御部と前記ディスク装置にリード／ライトされるデータを一時的に格納するキャッシュメモリとを相互に接続する内部結合部と、を含み、
前記第一の結合部は、前記ディスク制御装置の内部においてデータをリード／ライトすべく、前記ディスク制御装置に設けられる前記各ディスク制御ユニットの前記内部結合部間におけるデータ接続を行い、
前記各ディスク制御ユニットの前記内部結合部は、複数のディスク制御装置に跨りデータを転送すべく、少なくとも一つの第二の結合部を介して、他のディスク制御装置の少なくとも一つの内部結合部に接続される
ことを特徴とするディスク制御装置。
【請求項２１】
ホストコンピュータとのインターフェースを有する少なくとも一つのチャネル制御部と、ディスク装置とのインターフェースを有する少なくとも一つのディスク制御部と、前記チャネル制御部と前記ディスク制御部と前記ディスク装置にリード／ライトされるデータを一時的に格納するキャッシュメモリとを相互に接続する内部結合部と、を含む複数のディスク制御ユニットを備えるディスク制御装置におけるデータ通信の制御方法であって、
前記各ディスク制御ユニットの前記内部結合部を相互に接続する第一の結合部を用いて前記ディスク制御装置の内部においてデータをリード／ライトし、
前記各ディスク制御ユニットの前記内部結合部を、他のディスク制御装置の少なくとも一つの内部結合部に接続する第二の結合部を用いて、複数のディスク制御装置を跨りデータを転送する
ことを特徴とするデータ通信の制御方法。